(57)【要約】      （修正有）【課題】平常時は太陽光発電機能、電気自動車への充電機能及び災害用品の備蓄機能を備え、災害発生時は緊急避難所としても使用可能なカーポートを提供する。【解決手段】カーポート１００は、自動車Ｍが出し入れ可能な駐車スペース１及び外部から区画された防災用品倉庫２が設けられた建屋３と、建屋３の屋根材４の上に設置された太陽光発電パネル５と、太陽光発電パネル５で発電された電気を蓄える蓄電池６、太陽光発電パネル５・蓄電池６若しくは商用電源から供給される電気を電気自動車Ｍの蓄電池に充電するためのＥＶ充電装置７と、を備えていて、駐車スペース１を含む領域を外部から目視不能に区画するための遮蔽手段であるロールスクリーンが建屋３の屋根裏領域（屋根材４の下側）に出し入れ可能に収納されている。【選択図】図１
2016044515.tif 000002
【特許請求の範囲】
【請求項１】
自動車が出し入れ可能な駐車スペース及び外部から区画された防災用品倉庫が設けられた建屋と、前記建屋に設置された太陽光発電パネルと、前記太陽光発電パネルで発電された電気を蓄える蓄電池と、前記太陽光発電パネル・前記蓄電池若しくは商用電源から供給される電気を電気自動車の蓄電池に充電するためのＥＶ充電装置と、を備え、前記駐車スペースの少なくとも一部を外部から目視不能に区画するための遮蔽手段を前記建屋に出し入れ可能に収納したカーポート。
【請求項２】
前記遮蔽手段を前記建屋の屋根裏領域に収納した請求項１記載のカーポート。
【請求項３】
前記遮蔽手段が、垂れ壁若しくはロールスクリーンの少なくとも一方である請求項１または２記載のカーポート。
【請求項４】
前記防災用品倉庫を形成する周壁の少なくとも一部を取り外して前記遮蔽手段として使用可能である請求項１〜３のいずれかに記載のカーポート。
【請求項５】
前記太陽光発電パネル若しくは前記蓄電池から供給される電気を商用電源と同等の電気に変換する変電手段を備えた請求項１〜４のいずれかに記載のカーポート。
【発明の詳細な説明】
【技術分野】
【０００１】
本発明は、太陽光発電機能、電気自動車への充電機能及び防災用品の備蓄機能などを備えたカーポートに関する。
【背景技術】
【０００２】
太陽光発電パネルで発電した電気を利用して電気自動車へ充電する機能を備えたカーポートについては、従来、様々なものが提案、開発されているが、本発明に関連するものとして、例えば、特許文献１記載の「家庭用簡易型太陽光発電システム」あるいは特許文献２記載の「野外充電ステーション」などがある。
【０００３】
また、地震や水害などの災害が発生したときに必要となる防災用品（飲料水、非常食、救護用品など）を平常時に備蓄しておく設備として、例えば、特許文献３記載の「防災備蓄倉庫」などがある。
【先行技術文献】
【特許文献】
【０００４】
【特許文献１】特開平８−１９１９３号公報
【特許文献２】特開２０１２−１４３０８２号公報
【特許文献３】特開１０００−１７８８１号公報
【発明の概要】
【発明が解決しようとする課題】
【０００５】
近年、地震や水害などの自然災害による被害が増加し、日頃から災害への備えをしておくべきであるとの意識が高まり、災害発生直後に必要となる様々な物品が収納された防災用品備蓄箱や防災用品収納バッグなどを準備している家庭も増えているが、全国的に見ると少数に留まっている状況である。
【０００６】
特許文献１，２に記載されている発明は、太陽光を利用して、駐車中の電気自動車の蓄電池に充電することができる点において優れているが、地震や水害などの災害が発生したときに何らかの対応ができるような機能は具備していない。
【０００７】
一方、地震などが発生したときの緊急避難場所として、公民館や学校の体育館などが利用されることが多いが、現実に災害に直面し、これらの場所に避難した人々は多大なる不便とストレスを被っているのが実状である。
【０００８】
本発明は、平常時は太陽光発電機能、電気自動車への充電機能及び災害用品の備蓄機能を備え、災害発生時は緊急避難所としても使用可能なカーポートを提供することにある。
【課題を解決するための手段】
【０００９】
本発明のカーポートは、自動車が出し入れ可能な駐車スペース及び外部から区画された防災用品倉庫が設けられた建屋と、前記建屋に設置された太陽光発電パネルと、前記太陽光発電パネルで発電された電気を蓄える蓄電池と、前記太陽光発電パネル・前記蓄電池若しくは商用電源から供給される電気を電気自動車の蓄電池に充電するためのＥＶ充電装置と、を備え、前記駐車スペースの少なくとも一部を外部から目視不能に区画するための遮蔽手段を前記建屋に出し入れ可能に収納したことを特徴とする。
【００１０】
このような構成とすれば、平常時は、太陽光発電パネルにより太陽光発電を行うことができ、ＥＶ充電装置により駐車スペースに駐車した電気自動車の蓄電池に対する充電を行うことができ、防災用品倉庫内に災害用品を備蓄することができる。
【００１１】
また、災害発生時は、建屋に収納されている遮蔽手段を出して駐車スペースの一部などを区画すれば、外部から覗かれない避難スペースを形成することができ、避難者は防災用品倉庫内の災害用品を使用して寝泊りすることもできるので、避難生活所としても使用可能である。
【００１２】
ここで、前記遮蔽手段は前記建屋の屋根裏領域に収納することができる。
【００１３】
また、前記遮蔽手段は、垂れ壁若しくはロールスクリーンの少なくとも一方を使用することができる。
【００１４】
さらに、前記防災用品倉庫を形成する周壁の少なくとも一部を取り外して前記遮蔽手段として使用可能とすることもできる。
【００１５】
一方、前記太陽光発電パネル若しくは前記蓄電池から供給される電気を商用電源と同等の電気に変換する変電手段（パワーコンデショナ）を設けることもできる。
【発明の効果】
【００１６】
本発明により、平常時は太陽光発電機能、電気自動車への充電機能及び災害用品の備蓄機能を備え、災害発生時は緊急避難所としても使用可能なカーポートを提供することができる。
【図面の簡単な説明】
【００１７】
【図１】本発明の第１実施形態であるカーポートを示す斜視図である。
【図２】図１に示すカーポートの屋根材及び太陽光パネルを取り外した状態における一部省略平面図である。
【図３】図２中の矢線Ａ方向から見た一部省略正面図である。
【図４】図２中の矢線Ｂ方向から見た一部省略右側面図である。
【図５】本発明の第２実施形態であるカーポートの屋根材及び太陽光パネルを取り外した状態における一部省略平面図である。
【図６】図５中の矢線Ｃ方向から見た一部省略正面図である。
【図７】図５中の矢線Ｄ方向から見た一部省略右側面図である。
【発明を実施するための形態】
【００１８】
以下、図１〜図７に基づいて本発明の第１，２実施形態であるカーポート１００，２００について説明する。
【００１９】
図１〜図４に示すように、本発明の第１実施形態であるカーポート１００は、自動車Ｍが出し入れ可能な駐車スペース１及び外部から区画された防災用品倉庫２が設けられた建屋３と、建屋３の屋根材４の上に設置された太陽光発電パネル５と、太陽光発電パネル５で発電された電気を蓄える蓄電池６、太陽光発電パネル５・蓄電池６若しくは商用電源から供給される電気を電気自動車Ｍの蓄電池（図示せず）に充電するためのＥＶ充電装置７と、を備えている。また、駐車スペース１を含む領域（防災用品倉庫２に隣接する屋根材４の下方と地面Ｇとの間の領域）を外部から目視不能に区画するための遮蔽手段であるロールスクリーン８が建屋３の屋根裏領域（屋根材４の下面側）に出し入れ可能に収納されている。また、太陽光発電パネル５や蓄電池６から供給される電気を商用電源と同等の電気に変換するパワーコンデショナ（図示せず）が設けられている。
【００２０】
建屋３は、所定間隔を置いて前後左右に立設された合計９本の支柱Ｐ１〜Ｐ９によって屋根材４を支持した構造であり、正面から背面に向かって緩やかな下り勾配をなす屋根材４の上に、太陽光発電パネル５が建屋３の背面から正面に向かって下り勾配をなすように設置されている。建屋３の正面側から見た左側領域に防災用品倉庫２が設けられ、右側領域に駐車スペース１が設けられている。また、駐車スペース１の右端部分に蓄電池６及びＥＶ充電装置７が配置されている。なお、前述した支柱Ｐ１〜Ｐ９の本数、屋根材４の勾配、駐車スペース１と防災用品倉庫２の位置関係などは一例を示すものであり、これらに限定するものではないので、施工規模及び施工条件などに応じて任意に設定することができる。
【００２１】
防災用品倉庫２は建屋３の左側領域に位置する支柱Ｐ１，Ｐ２，Ｐ４，Ｐ５，Ｐ７，Ｐにおいて隣り合う支柱Ｐ１，Ｐ２の間、支柱Ｐ２，Ｐ５の間、支柱Ｐ５，Ｐ８の間、支柱Ｐ７，Ｐ８の間、支柱Ｐ１，Ｐ４の間，支柱Ｐ４，Ｐ７の間に、それぞれ平板状の壁パネル９，９ａ（例えば、硬質ウレタンパネル）を取り付けて周壁とし、各支柱間を閉塞することによって形成されている。また、防災用品倉庫２の上面（屋根材４の直下部分）は複数の天井パネル１０で閉塞されている。
【００２２】
また、防災用品倉庫２の駐車スペース１側（支柱Ｐ２，Ｐ５の間及び支柱Ｐ５，Ｐ８の間）の周壁を形成する複数の壁パネル９ａはそれぞれ着脱可能であるため、必要に応じて取り外すことができ、取り外した複数の壁パネル９ａは、支柱Ｐ３，Ｐ６の間及び支柱Ｐ６，Ｐ９の間に取り付けて、これらの支柱間を閉塞することができる。なお、壁パネル９ａは、支柱Ｐ３，Ｐ６の間及び支柱Ｐ６，Ｐ９の間の上方部分に水平に張設されたワイヤＷに吊下げることによって起立状態に保持可能である。
【００２３】
ロールスクリーン８は、駐車スペース１側の屋根材４の直下部分であって、建屋３の正面側の複数の支柱Ｐ２，Ｐ３の間及び背面側の複数の支柱Ｐ８，Ｐ９の間に、それぞれロール状に巻回され、そのロール軸心を水平保持された状態で回転可能に収納されている。
【００２４】
図１に示すカーポート１００は、平常時においては、太陽光発電パネル５により太陽光発電を行うことができ、駐車スペース１に駐車した電気自動車Ｍの蓄電池に対してＥＶ充電装置７によって充電を行うことができる。また、防災用品倉庫２内には、地震や水害などが発生したときに必要となる災害用品（例えば、飲料水、非常食、救護用品、医薬品、担架、非常用トイレ、寝具など）を備蓄することができる。また、蓄電池６から商用電源（ＡＣ１００Ｖ）と同様の電気を供給することもできる。
【００２５】
一方、地震や水害などの災害が発生し、周辺地域の家屋などに被害が生じたときは、図３，図４に示すように、建屋３に収納されているロールスクリーン８を下方に引き出して支柱Ｐ２，Ｐ３の間（支柱Ｐ８，Ｐ９の間）を閉塞する。また、防災用品倉庫２の駐車スペース１側の壁パネル９ａを取り外して、支柱Ｐ３，Ｐ６の間及び支柱Ｐ６，Ｐ９の間に取り付ける（支柱Ｐ３，Ｐ６の間及び支柱Ｐ６，Ｐ９の間のワイヤＷに吊下げ保持する）ことにより、支柱Ｐ３，Ｐ６及び支柱Ｐ６，Ｐ９の間を閉塞する。
【００２６】
これにより、駐車スペース１は、ロールスクリーン８、壁パネル９ａ及び防災用品倉庫２の周壁を形成する壁パネル９によって周囲から目視不能に区画された状態となるので、外部から覗かれない避難スペースを形成することができる。また、カーポート１００に避難してきた人は防災用品倉庫２内に備蓄されている災害用品を使用して寝泊りすることもできるので、避難生活所としても使用可能である。さらに、太陽光発電パネル５で発電した電気や蓄電池６に蓄えられた電気はパワーコンデショナを介して商用電源と同様に使用可能であるため、避難者が持参した家電製品などを使用することもできる。なお、引き出したロールスクリーン８を巻き上げ、壁パネル９ａを元の位置に戻せば、平常時のカーポート１００として使用可能となる。
【００２７】
次に、図５〜図６に基づいて、本発明の第２実施形態であるカーポート２００について説明する。なお、カーポート１００の構成部分において前述したカーポート１００の構成部分と共通する部分は図１〜図４中の符号と同符号を付して説明を省略する。
【００２８】
図５〜図７に示すように、カーポート２００においては、建屋１３において駐車スペース１を含む領域（防災用品倉庫２に隣接する屋根材４の下方と地面Ｇとの間の領域）を外部から目視不能に区画するための遮蔽手段として、ダンパ式の垂れ壁１８及び壁パネル９ａが使用されている。また、図５に示すように、防災用品倉庫２の左側面には開閉ドア１１ａ付きの出入り口１１が設けられている。
【００２９】
複数の垂れ壁１８はそれぞれの上縁部を、支柱Ｐ２，Ｐ３の間の横梁１４及び支柱Ｐ８，Ｐ９の間の横梁１５に蝶番１６を介して回動可能に取り付けられ、各垂れ壁１８には、蝶番１６を中心とする垂れ壁１８の回動を制御するダンパ１７が付設されている。また、垂れ壁１８の正面には、横梁１４，１５と直交する方向にスライド可能な可動パネル１８ａが垂れ壁１８と平行に付設されている。
【００３０】
平常時、垂れ壁１８は屋根材４の下面側に略水平状態に保持されているが、必要に応じて、垂れ壁１８の下縁部を引き下げれば、蝶番１６を中心に垂れ壁１８が回動して横梁１４，１５に垂下された状態となる。この後、各垂れ壁１８の可動パネル１８ａを下方に引き下げれば、垂れ壁１８の下縁部と地面Ｇとの隙間が閉塞される。
【００３１】
このように、垂れ壁１８を下方へ回動させた後、垂れ壁１８の正面の可動パネル１８ａを地面Ｇに向かって引き下げれば、支柱Ｐ２，Ｐ３の間及び支柱Ｐ８，Ｐ９の間を閉塞することができる。また、支柱Ｐ３，Ｐ６の間及び支柱Ｐ６，Ｐ９の間については、前述したカーポート１００の場合と同様に、防災用品倉庫２の周壁を形成する複数の壁パネル９ａを取り外して、支柱Ｐ３，Ｐ６の間及び支柱Ｐ６，Ｐ９の間に取り付けることによって閉塞することができる。
【００３２】
図５〜図７に示すカーポート２００は、平常時においては、カーポート１００と同様、太陽光発電パネルにより太陽光発電を行うことができ、駐車スペース１に駐車した電気自動車の蓄電池に対してＥＶ充電装置によって充電を行うことができる。また、防災用品倉庫２内には、地震や水害などが発生したときに必要となる災害用品（例えば、飲料水、非常食、救護用品、医薬品、担架、非常用トイレ、寝具など）を備蓄することができる。また、蓄電池から商用電源（ＡＣ１００Ｖ）と同様の電気を供給することもできる。
【００３３】
一方、地震や水害などの災害が発生し、周辺地域の家屋などに被害が生じたときは、図６，図７に示すように、複数の垂れ壁１８をそれぞれ下方へ回動させた後、垂れ壁１８の正面の可動パネル１８ａを地面Ｇに向かって引き下げれば、支柱Ｐ２，Ｐ３の間及び支柱Ｐ８，Ｐ９の間を閉塞することができる。また、支柱Ｐ３，Ｐ６の間及び支柱Ｐ６，Ｐ９の間は、複数の壁パネル９ａを取り外して、支柱Ｐ３，Ｐ６の間及び支柱Ｐ６，Ｐ９の間に取り付けることによって閉塞することができる。
【００３４】
これにより、駐車スペース１は、垂れ壁１８及び可動パネル１８ａ、壁パネル９ａ及び防災用品倉庫２の周壁を形成する壁パネル９によって周囲から目視不能に区画された状態となるので、外部から覗かれない避難スペースを形成することができる。また、カーポート２００に避難してきた人は防災用品倉庫２内に備蓄されている災害用品を使用して寝泊りすることもできるので、避難生活所としても使用可能である。さらに、太陽光発電パネルで発電した電気や蓄電池に蓄えられた電気はパワーコンデショナを介して商用電源と同様に使用可能であるため、避難者が持参した家電製品などを使用することもできる。なお、引き出した可動パネル１８ａを垂れ壁１８の正面側に戻し、垂れ壁１８を屋根材４側へ回動させて収納し、壁パネル９ａを元の位置に戻せば、平常時のカーポート２００として使用可能となる。
【００３５】
なお、図１〜図７に基づいて説明したカーポート１００，２００は本発明を例示するものであり、本発明のカーポートは前述したカーポート１００，２００に限定されない。また、前述したカーポート１００，２００の使い方も一例を示すものであり、これらに限定されない。
【産業上の利用可能性】
【００３６】
本発明のカーポートは、コンビニエンスストアや集合住宅の駐車場あるいは公共広場などに設置して広く利用することができる。
【符号の説明】
【００３７】
１  駐車スペース
２  防災用品倉庫
３，１３  建屋
４  屋根材
５  太陽光発電パネル
６  蓄電池
７  ＥＶ充電装置
８  ロールスクリーン
９，９ａ  壁パネル
１０  天井パネル
１１  出入り口
１１ａ  開閉ドア
１４，１５  横梁
１６  蝶番
１７  ダンパ
１８  垂れ壁
１８ａ  可動パネル
１００，２００  カーポート
Ｇ  地面
Ｍ  自動車
Ｐ１，Ｐ２，Ｐ３，Ｐ４，Ｐ５，Ｐ６，Ｐ７，Ｐ８，Ｐ９  支柱
Ｗ  ワイヤ
【図１】
2016044515.tif 000003
【図２】
2016044515.tif 000004
【図３】
2016044515.tif 000005
【図４】
2016044515.tif 000006
【図５】
2016044515.tif 000007
【図６】
2016044515.tif 000008
【図７】
2016044515.tif 000009